(57)【要約】【課題】形状及び溶着治具の共通化によりコスト低減を可能とした樹脂製オイルリザーバータンク及びその振動溶着治具を実現することを目的とする。【解決手段】円筒形をなし、その側部には別体のエルボウ形流入パイプ２５が溶着される上部タンク２０と、取付部２７を有して前記上部タンク２０の下部に溶着される中間部材２１と、該中間部材２１に溶着され、且つその下部に半径方向に延びる流出パイプ２９が一体に設けられてなる皿状の下部タンク２２とよりなる樹脂製のオイルリザーバータンクあって、前記流入パイプ２５は前記上部タンク２０に設けられた溶着部にパイプ部を希望する方向に向けて溶着でき、前記下部タンク２２と中間部材２１とは、両者の中心軸を一致させて回転方向には自由な位置に溶着でき、前記流入パイプを溶着した上部タンク２０と前記下部タンクを溶着した中間部材２１とは両者の中心軸を一致させて回転方向には自由な位置に溶着できるように構成する。【選択図】      図１
2004181996.tif 000002
【特許請求の範囲】
【請求項１】
円筒形をなし、その側部には別体のエルボウ形流入パイプ（２５）が溶着される上部タンク（２０）と、取付部（２７）を有して前記上部タンク（２０）の下部に溶着される中間部材（２１）と、該中間部材（２１）に溶着され、且つその下部に半径方向に延びる流出パイプ（２９）が一体に設けられてなる皿状の下部タンク（２２）とよりなる樹脂製のオイルリザーバータンクあって、
前記流入パイプ（２５）は前記上部タンク（２０）に設けられた溶着部にパイプ部を希望する方向に向けて溶着でき、
前記下部タンク（２２）と中間部材（２１）とは、両者の中心軸を一致させて回転方向には自由な位置に溶着でき、
前記流入パイプ（２５）を溶着した上部タンク（２０）と前記下部タンク（２２）を溶着した中間部材（２１）とは両者の中心軸を一致させて回転方向には自由な位置に溶着できるように構成されたことを特徴とする樹脂製オイルリザーバータンク。
【請求項２】
円筒形をなし、その側部には別体のエルボウ形流入パイプ（２５）が溶着される上部タンク（２０）と、取付部（２７）を有して前記上部タンク（２０）の下部に溶着される中間部材（２１）と、該中間部材（２１）に溶着され、且つその下部に半径方向に延びる流出パイプ（２９）が一体に設けられてなる皿状の下部タンク（２２）とよりなる樹脂製のオイルリザーバータンクの、前記流入パイプ（２５）を上部タンク（２０）に溶着する溶着治具であって、
流入パイプ（２５）を支持する上部治具（３０）と、上部タンク（２０）を支持する下部治具（３６）とを具備し、
前記上部治具（３０）には前記流入パイプ（２５）を支持して水平に回動可能な回転治具（３１）が設けられて成ることを特徴とする振動溶着治具。
【請求項３】
円筒形をなし、その側部には別体のエルボウ形流入パイプ（２５）が溶着される上部タンク（２０）と、取付部（２７）を有して前記上部タンク（２０）の下部に溶着される中間部材（２１）と、該中間部材（２１）に溶着され、且つその下部に半径方向に延びる流出パイプ（２９）が一体に設けられてなる皿状の下部タンク（２２）とよりなる樹脂製のオイルリザーバータンクの、前記中間部材（２１）に下部タンク（２２）を溶着する溶着治具であって、
前記下部タンク（２２）を支持する上部治具（３０）と、中間部材（２１）を支持する下部治具（３６）とを具備し、
前記上部治具（３０）には前記下部タンク（２２）を支持して水平に回動可能な回転治具（３３）が設けられて成ることを特徴とする振動溶着治具。
【請求項４】
円筒形をなし、その側部には別体のエルボウ形流入パイプ（２５）が溶着される上部タンク（２０）と、取付部（２７）を有して前記上部タンク（２０）の下部に溶着される中間部材（２１）と、該中間部材（２１）に溶着され、且つその下部に半径方向に延びる流出パイプ（２９）が一体に設けられてなる皿状の下部タンク（２２）とよりなる樹脂製のオイルリザーバータンクの、前記上部タンク（２０）に中間部材（２１）を溶着する溶着治具であって、
前記上部タンク（２０）を支持する上部治具（３０）と、下部タンク（２２）が溶着された中間部材（２１）を支持する下部治具（３６）とを具備し、
前記上部治具（３０）には前記上部タンク（２０）を支持して水平に回動可能な回転治具（３７）が設けられ、
前記下部治具（３６）には下部タンク（２２）が溶着された中間部材（２１）を支持する支持治具（４０）が設けられて成ることを特徴とする振動溶着治具。
【発明の詳細な説明】
【０００１】
【発明の属する技術分野】
本発明は樹脂製オイルリザーバータンク及びその振動溶着治具に関する。詳しくは、オイルリザーバータンクの形状の共通化、及び溶着治具の共通化によりコスト低減を可能とした樹脂製オイルリザーバータンク及びその振動溶着装置に関する。
【０００２】
【従来の技術】
従来、車両のパワーステアリング装置の作動油を貯留及び濾過を行うために樹脂製のリザーバータンクが用いられている。図７は従来の樹脂製リザーバータンクの１例を示す分解斜視図である。これは、流入パイプ１を設けた樹脂製の上部タンク２と、流出パイプ３を設けた樹脂製の下部タンク４と、前記上部タンク２と下部タンク４との間に設けられた樹脂製の中間部材６とよりなり、該中間部材はブラケット取付け部５を有する略リング形状をなし、該中間部材を介して前記上部タンク２と下部タンク４とが溶着され一体化されたものである。（例えば特許文献１参照）
【０００３】
【特許文献１】
特開２００１−１３８９３４号公報
【０００４】
【発明が解決しようとする課題】
上記のような従来の樹脂製リザーバータンクでは、車種の要求に応じて、流入パイプ１及び流出パイプ３の方向を所望の方向に向けて上部タンク２及び下部タンク４を中間部材６に溶着することができる。しかし、その場合は、流入パイプ１及び流出パイプ３の方向を変えた数だけの溶着治具が必要となり、コストアップになるという問題がある。
【０００５】
本発明は、上記従来の問題点に鑑み、オイルリザーバータンクの形状の共通化、及び溶着治具の共通化を行うことによりコスト低減を可能とした樹脂製オイルリザーバータンク及びその振動溶着治具を実現することを目的とする。
【０００６】
【課題を解決するための手段】
上記目的を達成するため、本発明の請求項１は、円筒形をなし、その側部には別体のエルボウ形流入パイプ２５が溶着される上部タンク２０と、取付部２７を有して前記上部タンク２０の下部に溶着される中間部材２１と、該中間部材２１に溶着され、且つその下部に半径方向に延びる流出パイプ２９が一体に設けられてなる皿状の下部タンク２２とよりなる樹脂製のオイルリザーバータンクあって、前記流入パイプ２５は前記上部タンク２０に設けられた溶着部にパイプ部を希望する方向に向けて溶着でき、前記下部タンク２２と中間部材２１とは、両者の中心軸を一致させて回転方向には自由な位置に溶着でき、前記流入パイプ２５を溶着した上部タンク２０と前記下部タンク２２を溶着した中間部材２１とは両者の中心軸を一致させて回転方向には自由な位置に溶着できるように構成されたことを特徴とする。
【０００７】
また、請求項２は、円筒形をなし、その側部には別体のエルボウ形流入パイプ２５が溶着される上部タンク２０と、取付部２７を有して前記上部タンク２０の下部に溶着される中間部材２１と、該中間部材２１に溶着され、且つその下部に半径方向に延びる流出パイプ２９が一体に設けられてなる皿状の下部タンク２２とよりなる樹脂製のオイルリザーバータンクの、前記流入パイプ２５を上部タンク２０に溶着する溶着治具であって、流入パイプ２５を支持する上部治具３０と、上部タンク２０を支持する下部治具３６とを具備し、前記上部治具３０には前記流入パイプ２５を支持して水平に回動可能な回転治具３１が設けられて成ることを特徴とする。
【０００８】
また、請求項３は、円筒形をなし、その側部には別体のエルボウ形流入パイプ２５が溶着される上部タンク２０と、取付部２７を有して前記上部タンク２０の下部に溶着される中間部材２１と、該中間部材２１に溶着され、且つその下部に半径方向に延びる流出パイプ２９が一体に設けられてなる皿状の下部タンク２２とよりなる樹脂製のオイルリザーバータンクの、前記中間部材２１に下部タンク２２を溶着する溶着治具であって、前記下部タンク２２を支持する上部治具３０と、中間部材２１を支持する下部治具３６とを具備し、前記上部治具３０には前記下部タンク２２を支持して水平に回動可能な回転治具３３が設けられて成ることを特徴とする。
【０００９】
また請求項４は、円筒形をなし、その側部には別体のエルボウ形流入パイプ２５が溶着される上部タンク２０と、取付部２７を有して前記上部タンク２０の下部に溶着される中間部材２１と、該中間部材２１に溶着され、且つその下部に半径方向に延びる流出パイプ２９が一体に設けられてなる皿状の下部タンク２２とよりなる樹脂製のオイルリザーバータンクの、前記上部タンク２０に中間部材２１を溶着する溶着治具であって、前記上部タンク２０を支持する上部治具３０と、下部タンク２２が溶着された中間部材２１を支持する下部治具３６とを具備し、前記上部治具３０には前記上部タンク２０を支持して水平に回動可能な回転治具３７が設けられ、前記下部治具３６には下部タンク２２が溶着された中間部材２１を支持する支持治具４０が設けられて成ることを特徴とする。
【００１０】
この構成を採ることにより、部材を共通化してコスト低減が可能な樹脂リザーバータンク及びその溶着治具が得られる。
【００１１】
【発明の実施の形態】
図１は本発明の樹脂リザーバータンクの実施の形態を示す図であり、（ａ）は分解斜視図、（ｂ）は組立図である。本実施の形態の樹脂リザーバータンクは（ａ）図の如く、それぞれ樹脂で形成された上部タンク２０と、中間部材２１と、下部タンク２２とよりなり、前記上部タンク２０は円筒形をなし、上部には給油口２３が形成され、下部側面には流入孔２４が形成され、該流入孔２４に連通するようにエルボウ形の流入パイプ２５が溶着されるようになっている。
【００１２】
また、前記中間部材２１は略リング状の本体２６と、該本体２６の一端に形成されて鉄製のブラケットが取付けられる取付部２７とより成り、略リング状の本体２６にはフィルタ２８が張設されている。また、下部タンク２２は皿状をなし、その底部には流出パイプ２９が斜め下向きに設けられている。
【００１３】
このように形成された各部材は、振動溶着装置により（ｂ）図の如くに組立てられる。なお、この場合、（ａ）図の如く、上部タンク２０に対する流出パイプ２５の矢印Ａ−Ａ′方向の回転位置、中間部材２１の取付部２７に対する流出パイプ２９の矢印Ｂ−Ｂ′方向の回転位置、及び中間部材２１に設けられた取付部２７に対する上部タンク２０の矢印Ｃ−Ｃ′方向の回転位置をそれぞれ所望の位置に選択することができる。このため製品に組立てるには本発明の振動溶着治具を用いて次の３行程により行われる。
【００１４】
先ず、第１行程を図２により説明する。これは、流入パイプ２５を支持する上部治具３０と、上部タンク２０を支持する下部治具３６（図示省略）とを用いる。そして、前記上部治具３０は図２（ａ）の如く板状をなし、その中央に流入パイプ２５を保持することができる凹部３２を有する回転治具３１が回転可能に設けられている。なお、この凹部３２は流入パイプ２５の溶着面２５ａを回転治具３１の中心に位置させ、且つその面が上部治具３０の面と平行となるように穿設されている。
【００１５】
このように構成された本治具は、回転治具３１の凹部３２に流入パイプ２５をセットし、図示なき下部治具にセットした上部タンク２０の流入口２５ａに連通するように当接させて振動溶着することができる。この際、予め流入パイプ２５を所望の角度に位置させるように回転治具３１を回動させておき、振動溶着装置を作動させることにより上部タンク２０に対して流入パイプ２５を所望の角度に溶着させることができる。
【００１６】
次に、第２行程を図３により説明する。これは、下部タンク２２を支持する上部治具３０と、中間部材２１を支持する下部治具３６（図示省略）とよりなり、両治具は、両治具にそれぞれ支持された中間部材２１と下部タンク２２のそれぞれの中心軸が一致するようになっている。そして、前記上部治具３０は図３（ａ）の如く、その中央に下部タンク２２を支持することができる凹部３４を有する回転治具３３が回転可能に設けられている。なお、該回転治具３３の凹部３４の壁には流出パイプ２９を避けることができる切欠部３５が形成されている。
【００１７】
このように構成された本治具は、回転治具３３の凹部３４に下部タンク２２をセットし、図示なき下部治具にセットした中間部材２１に当接させて振動溶着することができる。この際、予め下部タンク２２の流出パイプ２９を所望の角度に位置させるように回転治具３３を回動させておき、振動溶着装置を作動させることにより中間部材２１の取付部２７に対して流出パイプ２９を所望の角度位置に溶着させることができる。
【００１８】
次に、第３行程を図４及び図５により説明する。これは、上部タンク２０を支持する上部治具３０と、中間部材２１及び下部タンク２２を支持する下部治具３６とよりなり、両治具は、両治具にそれぞれ支持された上部タンク２０と中間部材２１のそれぞれの中心軸が一致するようになっている。そして、前記上部治具３０は図４（ａ）の如くその中央に上部タンク２０を支持することができる凹部３８を有する回転治具３７が回転可能に設けられている。なお、該回転治具３７の凹部３８の壁には流入パイプ２５を避けることができる切欠部３９が形成されている。
【００１９】
また、下部治具３６は、その中央に中間部材２１を支持する支持治具４０が設けられている。なお、この支持治具４０は下部タンク２２及び流出パイプ２９が挿入される凹部４１が形成され、その一部に取付部２７挿入用の凹部４２が形成されている。
【００２０】
このように構成された本治具は図５に示すようにして溶着を行うのである。同図において、下部治具３６は振動溶着装置の固定部となり、図示なき押圧装置により上方に押圧されるようになっている。また上部治具３０は加振部となり図示なき加振装置により左右方向に振動されるようになっている。そして、上部治具３０には、第１行程で流入パイプ２５が溶着された上部タンク２０が回転治具３７を介してセットされ、下部治具３６には、第２行程で下部タンク２２を溶着した中間部材２１が支持治具４０を介してセットされる。
【００２１】
そして上部タンク２０を回転治具３１と共に回動させ、中間部材２１の取付部２７に対する流入パイプ２５の位置を希望する位置に固定した後、下部治具３６を図示なき押圧装置により上方に押圧して中間部材２１を上部タンク２０に押圧し、その状態のままで上部治具３０を加振装置により加振することにより上部タンク２０と中間部材２１とを溶着させることができる。
【００２２】
図６は本発明の樹脂製リザーバータンク及びその振動溶着治具の他の実施の形態を示す図である。本実施の形態のリザーバータンクが前実の施形態と異なるところは同図に示すように、流入パイプ２５が上部タンク２０と一体に形成され、且つ、流入パイプ２５と流出パイプ２９とが平行に設けられていることである。従って、組立ては前実施形態における第１行程を省略し、第２行程と第３行程を行えば良い。
【００２３】
【発明の効果】
本発明の樹脂製リザーバータンク及びその振動溶着治具に依れば、リザーバータンクの上部タンク、下部タンク、及び中間部材を標準化すると共に、組立用の少数の振動溶着治具を共通化することにより、樹脂形成用の金型費、及び組立用の振動溶着治具費を節減することができる。
【図面の簡単な説明】
【図１】本発明の樹脂リザーバータンクの実施の形態を示す図で、（ａ）は分解斜視図、（ｂ）は組立図である。
【図２】本発明の樹脂製リザーバータンクを組立てるための第１行程を説明するための図である。
【図３】本発明の樹脂製リザーバータンクを組立てるための第２行程を説明するための図である。
【図４】本発明の樹脂製リザーバータンクを組立てるための第３行程を説明するための図である。
【図５】本発明の樹脂製リザーバータンクを組立てるための第３行程を説明するための図である。
【図６】本発明の樹脂製リザーバータンク及びその振動溶着治具の他の実施の形態を示す図である。
【図７】従来の樹脂製リザーバータンクの１例を示す図である。
【符号の説明】
２０…上部タンク
２１…中間部材
２２…下部タンク
２３…給油口
２４…流入孔
２５…流入パイプ
２６…リング状本体
２７…取付部
２８…フィルタ
２９…流出パイプ
３０…上部治具
３１，３３，３７…回転治具
３２，３４，３８…凹部
３５，３９…切欠き部
３６…下部治具
４０…中間部材支持治具
４１…下部部材支持用孔部
４２…ブラケット挿入用凹部
【図１】
2004181996.tif 000003
【図２】
2004181996.tif 000004
【図３】
2004181996.tif 000005
【図４】
2004181996.tif 000006
【図５】
2004181996.tif 000007
【図６】
2004181996.tif 000008
【図７】
2004181996.tif 000009